(57)【要約】【課題】ガラスバルブの最冷点温度低下によるシーリング器具での発光効率を大幅に向上させた円形蛍光ランプ及び円形蛍光ランプ用口金を提供すること。【解決手段】この発明に係る円形蛍光ランプ用口金は、両端にマウント高さの異なるロングステムと、ショートステムとを有する円形ガラスバルブの内部空間に所定量の水銀及び不活性ガスを封入したランプ本体の両端部分に橋絡するように装着され、表面側に突出するように設けられた口金ピンを有する円形蛍光ランプ用口金において、口金内にショートステム側の熱がロングステム側に伝わらないようにするための熱遮断壁を設けたことを特徴とする。【選択図】        図２
2004207096.tif 000002
【特許請求の範囲】
【請求項１】
両端にマウント高さの異なるロングステムと、ショートステムとを有する円形ガラスバルブの内部空間に所定量の水銀及び不活性ガスを封入したランプ本体の両端部分に橋絡するように装着され、表面側に突出するように設けられた口金ピンを有する円形蛍光ランプ用口金において、
前記口金内に前記ショートステム側の熱が前記ロングステム側に伝わらないようにするための熱遮断壁を設けたことを特徴とする円形蛍光ランプ用口金。
【請求項２】
前記口金内を、前記熱遮断壁により、ショートステム部、口金部、ロングステム部の三つの空間に区画したことを特徴とする請求項１に記載の円形蛍光ランプ用口金。
【請求項３】
前記口金内を、前記熱遮断壁により、ショートステム部、口金部の二つの空間に区画したことを特徴とする請求項１に記載の円形蛍光ランプ用口金。
【請求項４】
前記口金内を、前記熱遮断壁により、ロングステム部、口金部の二つの空間に区画したことを特徴とする請求項１に記載の円形蛍光ランプ用口金。
【請求項５】
前記熱遮断壁は、リード線を通す切り欠き部を有することを特徴とする請求項１に記載の円形蛍光ランプ用口金。
【請求項６】
前記熱遮断壁は、外部に連通する冷却用溝部を有することを特徴とする請求項１に記載の円形蛍光ランプ用口金。
【請求項７】
前記熱遮断壁は、断面形状が縦長の略Ｕ字状であることを特徴とする請求項６に記載の円形蛍光ランプ用口金。
【請求項８】
前記熱遮断壁の冷却用溝部に、器具側のヒートシンクを嵌合させたことを特徴とする請求項６に記載の円形蛍光ランプ用口金。
【請求項９】
両端にマウント高さの異なるロングステムと、ショートステムとを有する円形ガラスバルブの内部空間に所定量の水銀及び不活性ガスを封入したランプ本体の両端部分に橋絡するように装着され、表面側に突出するように設けられた口金ピンを有する円形蛍光ランプ用口金において、
前記口金内に前記ショートステム側の熱が前記ロングステム側に伝わらないようにするための熱遮断壁によりロングステム部と口金部とを区画すると共に、ロングステム側のチップ管を前記熱遮断壁の近傍まで延設したことを特徴とする円形蛍光ランプ用口金。
【請求項１０】
前記ロングステム側のチップ管の先端と前記熱遮断壁との間に、寸法誤差を吸収すると共に、接触面積を増加させる部材を介在させたことを特徴とする請求項９に記載の円形蛍光ランプ用口金。
【請求項１１】
前記ロングステム側のチップ管の先端と前記熱遮断壁との間に、シリコーンを介在させたことを特徴とする請求項１０に記載の円形蛍光ランプ用口金。
【請求項１２】
前記口金部を前記ショートステム側に移動して、前記ロングステム部をランプ周方向に長くし、前記ロングステム側のチップ管を長くしたことを特徴とする請求項９〜１１の何れかに記載の円形蛍光ランプ用口金。
【請求項１３】
両端にマウント高さの異なるロングステムと、ショートステムとを有する円形ガラスバルブの内部空間に所定量の水銀及び不活性ガスを封入したランプ本体と、このランプ本体の両端部分に橋絡するように装着され、表面側に突出するように設けられた口金ピンを有する円形蛍光ランプにおいて、
前記口金内に前記ショートステム側の熱が前記ロングステム側に伝わらないようにするための熱遮断壁を設けたことを特徴とする円形蛍光ランプ。
【請求項１４】
前記熱遮断壁は、外部に連通する冷却用溝部を有することを特徴とする請求項１３に記載の円形蛍光ランプ。
【請求項１５】
前記熱遮断壁の冷却用溝部に、器具側のヒートシンクを嵌合させたことを特徴とする請求項１４に記載の円形蛍光ランプ。
【請求項１６】
両端にマウント高さの異なるロングステムと、ショートステムとを有する円形ガラスバルブの内部空間に所定量の水銀及び不活性ガスを封入したランプ本体と、このランプ本体の両端部分に橋絡するように装着され、表面側に突出するように設けられた口金ピンを有する円形蛍光ランプにおいて、
前記口金内に前記ショートステム側の熱が前記ロングステム側に伝わらないようにするための熱遮断壁によりロングステム部と口金部とを区画すると共に、ロングステム側のチップ管を前記熱遮断壁の近傍まで延設したことを特徴とする円形蛍光ランプ。
【請求項１７】
前記ロングステム側のチップ管の先端と前記熱遮断壁との間に、寸法誤差を吸収すると共に、接触面積を増加させる部材を介在させたことを特徴とする請求項１６に記載の円形蛍光ランプ。
【請求項１８】
前記口金部を前記ショートステム側に移動して、前記ロングステム部をランプ周方向に長くし、前記ロングステム側のチップ管を長くしたことを特徴とする請求項１６又は請求項１７に記載の円形蛍光ランプ。
【請求項１９】
器具本体と、カバーと、器具本体、カバーによって形成された内部空間に配置した円形蛍光ランプを備え、前記円形蛍光ランプは、両端にマウント高さの異なるロングステムと、ショートステムとを有する円形ガラスバルブの内部空間に所定量の水銀及び不活性ガスを封入したランプ本体と、このランプ本体の両端部分に橋絡するように装着され、表面側に突出するように設けられた口金ピンを有し、前記口金内に前記ショートステム側の熱が前記ロングステム側に伝わらないようにするための熱遮断壁を設けたことを特徴とする照明器具。
【請求項２０】
前記熱遮断壁は、外部に連通する冷却用溝部を有することを特徴とする請求項１９に記載の照明器具。
【請求項２１】
前記熱遮断壁の冷却用溝部に、器具側のヒートシンクを嵌合させたことを特徴とする請求項２０に記載の照明器具。
【請求項２２】
器具本体と、カバーと、器具本体、カバーによって形成された内部空間に配置した円形蛍光ランプを備え、前記円形蛍光ランプは、両端にマウント高さの異なるロングステムと、ショートステムとを有する円形ガラスバルブの内部空間に所定量の水銀及び不活性ガスを封入したランプ本体と、このランプ本体の両端部分に橋絡するように装着され、表面側に突出するように設けられた口金ピンを有し、前記口金内に前記ショートステム側の熱が前記ロングステム側に伝わらないようにするための熱遮断壁によりロングステム部と口金部とを区画すると共に、ロングステム側のチップ管を前記熱遮断壁の近傍まで延設したことを特徴とする照明器具。
【請求項２３】
前記ロングステム側のチップ管の先端と前記熱遮断壁との間に、寸法誤差を吸収すると共に、接触面積を増加させる部材を介在させたことを特徴とする請求項２２に記載の照明器具。
【請求項２４】
前記口金部を前記ショートステム側に移動して、前記ロングステム部をランプ周方向に長くし、前記ロングステム側のチップ管を長くしたことを特徴とする請求項２２又は請求項２３に記載の照明器具。
【発明の詳細な説明】
【０００１】
【発明の属する技術分野】
この発明は、円形蛍光ランプ用口金及び円形蛍光ランプ及び照明器具に関するもので、口金内部に形成した最冷点の温度をさらに下げて、光束相対値がピークとなる周囲温度をさらに高くするものである。
【０００２】
【従来の技術】
一般に、円形蛍光ランプの点灯時の明かるさは、ガラスバルブ内の水銀蒸気圧によって定まり、水銀蒸気圧はガラスバルブ内の最も温度の低い最冷点温度によって決まることが知られている。さらに、水銀蒸気圧が最適値の時に、最も明るく点灯し、水銀蒸気圧が最適値より高くなっても低くなっても点灯効率が低下することも知られている。通常、円形蛍光ランプは周囲温度が例えば２５℃で点灯した場合に、ガラスバルブ内の水銀蒸気圧が最適値になるように設計されている。水銀蒸気圧が最適値は、ガラスバルブ内の最冷点温度が約４０℃の時に得られる。
【０００３】
しかしながら、例えば、特開２００１−２４３８７５号公報に記載されているように、高周波点灯専用円形蛍光ランプでは、ガラスバルブの細径化による電流密度の高密度化によってガラスバルブの温度も高くなり、点灯時におけるガラスバルブ内の最冷点温度が最適な水銀蒸気圧の得られる４０℃よりも高くなり、その分だけ明るさ、発光効率も損なわれるようになる。
【０００４】
高周波点灯専用円形蛍光ランプが、カバーなどによって密閉される密閉形照明器具などに適用された場合には、例えば器具内温度が６０℃以上と高くなるために、高周波点灯専用円形蛍光ランプの最冷点温度も一層に高くなり、さらに明るさ、点灯効率が損なわれるようになる。
【０００５】
そこで、上記特開２００１−２４３８７５号公報では、ガラスバルブの両端に設けられるステムマウント中の、一方のステムマウントの高さを他方より高くして、一方のステムマウント側のガラスバルブ端部を電極から離すことにより、温度を低くしガラスバルブ内における最冷部とし、さらに口金の一方のステムマウント側に冷却孔を設けことにより、一方のステムマウントの封止側部分に最冷点を形成することを提案している。
【０００６】
【特許文献１】
特開２００１−２４３８７５号公報
【０００７】
【発明が解決しようとする課題】
従来の円形蛍光ランプは、以上のように、ガラスバルブの細径化による電流密度の高密度化や、密閉形照明器具などへの適用によりガラスバルブの最冷点温度の高温化対策として、一方のステムマウントの高さを他方より高くし、さらに口金に冷却孔を設けて一方のステムマウントの封止側部分に最冷点を形成しているが、冷却孔から変形可能な細長い導電部材、例えば針金などを差し入れた場合、口金内部のリード線に針金が接触して感電する危険性を完全に否定できない。
【０００８】
この発明は上記のような問題点を解決するためになされたもので、ロングステム側ガラスバルブ端部に形成される最冷点温度を効果的に低下させて、周囲温度の高温側における明るさ、発光効率を向上させた円形蛍光ランプ及び円形蛍光ランプ用口金及び円形蛍光ランプ及び照明器具を提供することを目的とする。
【０００９】
【課題を解決するための手段】
この発明に係る円形蛍光ランプ用口金は、両端にマウント高さの異なるロングステムと、ショートステムとを有する円形ガラスバルブの内部空間に所定量の水銀及び不活性ガスを封入したランプ本体の両端部分に橋絡するように装着され、表面側に突出するように設けられた口金ピンを有する円形蛍光ランプ用口金において、口金内にショートステム側の熱がロングステム側に伝わらないようにするための熱遮断壁を設けたことを特徴とする。
【００１０】
また、この発明に係る円形蛍光ランプ用口金は、口金内を熱遮断壁により、ショートステム部、口金部、ロングステム部の三つの空間に区画したことを特徴とする。
【００１１】
また、この発明に係る円形蛍光ランプ用口金は、口金内を熱遮断壁により、ショートステム部、口金部の二つの空間に区画したことを特徴とする。
【００１２】
また、この発明に係る円形蛍光ランプ用口金は、口金内を熱遮断壁により、ロングステム部、口金部の二つの空間に区画したことを特徴とする。
【００１３】
また、この発明に係る円形蛍光ランプ用口金は、熱遮断壁がリード線を通す切り欠き部を有することを特徴とする。
【００１４】
また、この発明に係る円形蛍光ランプ用口金は、熱遮断壁が外部に連通する冷却用溝部を有することを特徴とする。
【００１５】
また、この発明に係る円形蛍光ランプ用口金は、熱遮断壁が断面形状が縦長の略Ｕ字状であることを特徴とする。
【００１６】
また、この発明に係る円形蛍光ランプ用口金は、熱遮断壁の冷却用溝部に、器具側のヒートシンクを嵌合させたことを特徴とする。
【００１７】
また、この発明に係る円形蛍光ランプ用口金は、両端にマウント高さの異なるロングステムと、ショートステムとを有する円形ガラスバルブの内部空間に所定量の水銀及び不活性ガスを封入したランプ本体の両端部分に橋絡するように装着され、表面側に突出するように設けられた口金ピンを有する円形蛍光ランプ用口金において、口金内にショートステム側の熱がロングステム側に伝わらないようにするための熱遮断壁によりロングステム部と口金部とを区画すると共に、ロングステム側のチップ管を熱遮断壁の近傍まで延設したことを特徴とする。
【００１８】
また、この発明に係る円形蛍光ランプ用口金は、ロングステム側のチップ管の先端と熱遮断壁との間に、寸法誤差を吸収すると共に、接触面積を増加させる部材を介在させたことを特徴とする。
【００１９】
また、この発明に係る円形蛍光ランプ用口金は、ロングステム側のチップ管の先端と熱遮断壁との間に、シリコーンを介在させたことを特徴とする。
【００２０】
また、この発明に係る円形蛍光ランプ用口金は、口金部をショートステム側に移動して、ロングステム部をランプ周方向に長くし、ロングステム側のチップ管を長くしたことを特徴とする。
【００２１】
この発明に係る円形蛍光ランプは、両端にマウント高さの異なるロングステムと、ショートステムとを有する円形ガラスバルブの内部空間に所定量の水銀及び不活性ガスを封入したランプ本体と、このランプ本体の両端部分に橋絡するように装着され、表面側に突出するように設けられた口金ピンを有する円形蛍光ランプにおいて、口金内にショートステム側の熱がロングステム側に伝わらないようにするための熱遮断壁を設けたことを特徴とする。
【００２２】
また、この発明に係る円形蛍光ランプは、熱遮断壁が外部に連通する冷却用溝部を有することを特徴とする。
【００２３】
また、この発明に係る円形蛍光ランプは、熱遮断壁の冷却用溝部に、器具側のヒートシンクを嵌合させたことを特徴とする。
【００２４】
また、この発明に係る円形蛍光ランプは、両端にマウント高さの異なるロングステムと、ショートステムとを有する円形ガラスバルブの内部空間に所定量の水銀及び不活性ガスを封入したランプ本体と、このランプ本体の両端部分に橋絡するように装着され、表面側に突出するように設けられた口金ピンを有する円形蛍光ランプにおいて、口金内にショートステム側の熱がロングステム側に伝わらないようにするための熱遮断壁によりロングステム部と口金部とを区画すると共に、ロングステム側のチップ管を熱遮断壁の近傍まで延設したことを特徴とする。
【００２５】
また、この発明に係る円形蛍光ランプは、ロングステム側のチップ管の先端と熱遮断壁との間に、寸法誤差を吸収すると共に、接触面積を増加させる部材を介在させたことを特徴とする。
【００２６】
また、この発明に係る円形蛍光ランプは、口金部をショートステム側に移動して、ロングステム部をランプ周方向に長くし、ロングステム側のチップ管を長くしたことを特徴とする。
【００２７】
この発明に係る照明器具は、器具本体と、カバーと、器具本体、カバーによって形成された内部空間に配置した円形蛍光ランプを備え、円形蛍光ランプは、両端にマウント高さの異なるロングステムと、ショートステムとを有する円形ガラスバルブの内部空間に所定量の水銀及び不活性ガスを封入したランプ本体と、このランプ本体の両端部分に橋絡するように装着され、表面側に突出するように設けられた口金ピンを有し、口金内にショートステム側の熱がロングステム側に伝わらないようにするための熱遮断壁を設けたことを特徴とする。
【００２８】
また、この発明に係る照明器具は、熱遮断壁が外部に連通する冷却用溝部を有することを特徴とする。
【００２９】
また、この発明に係る照明器具は、熱遮断壁の冷却用溝部に、器具側のヒートシンクを嵌合させたことを特徴とする。
【００３０】
また、この発明に係る照明器具は、器具本体と、カバーと、器具本体、カバーによって形成された内部空間に配置した円形蛍光ランプを備え、前記円形蛍光ランプは、両端にマウント高さの異なるロングステムと、ショートステムとを有する円形ガラスバルブの内部空間に所定量の水銀及び不活性ガスを封入したランプ本体と、このランプ本体の両端部分に橋絡するように装着され、表面側に突出するように設けられた口金ピンを有し、口金内にショートステム側の熱がロングステム側に伝わらないようにするための熱遮断壁によりロングステム部と口金部とを区画すると共に、ロングステム側のチップ管を熱遮断壁の近傍まで延設したことを特徴とする。
【００３１】
また、この発明に係る照明器具は、ロングステム側のチップ管の先端と熱遮断壁との間に、寸法誤差を吸収すると共に、接触面積を増加させる部材を介在させたことを特徴とする。
【００３２】
また、この発明に係る照明器具は、口金部をショートステム側に移動して、ロングステム部をランプ周方向に長くし、ロングステム側のチップ管を長くしたことを特徴とする。
【００３３】
【発明の実施の形態】
以下、この発明の実施の形態を図面に基づいて説明する。
実施の形態１．
図１は実施の形態１を示す図で、円形蛍光ランプの平面図である。図に示すように、円形蛍光ランプ１は、両端にステムを有する円形のガラスバルブ２の内部空間に所定量の水銀及び不活性ガスを封入し、ガラスバルブ２の両端部分に橋絡するように装着され、表面側に突出するように設けられた口金ピン４を有する口金３で構成される。口金３には、後述する冷却用溝部を有する熱遮断壁５を形成されている。熱遮断壁５は、断面が縦長の略Ｕ字状である。
【００３４】
図２は実施の形態１を示す図で、口金を口金ピン側から見た図で、一部を断面で示す。図に示すように、口金３は、口金ピン４の両側に熱遮断壁５を設け、口金３内部を、ショートステム部、口金部、ロングステム部の三つの空間に区画されている。熱遮断壁５は、外部に連通する冷却用溝部５ａを有し、リード線６を通すための切り欠き部５ｂが口金３の内周面との間に設けられている。
【００３５】
図３は実施の形態１を示す図で、ガラスバルブの端部の構成を示す図である。図に示すように、ガラスバルブ２の右側端部にはロングステム７が、ガラスバルブ２の左側端部にはショートステム８が設けられている。
【００３６】
上記のように構成された円形蛍光ランプ１は、口金３内部が熱遮断壁５により、ショートステム部、口金部、ロングステム部の三つの空間に区画されているので、ショートステム側の熱がロングステム側の最冷点に伝達しにくい構造となっている。
また、熱遮断壁５には外部に連通する冷却用溝部５ａが設けられているので、熱遮断壁５は外気により冷却され、口金３内部はその冷却効果により温度が低下する。
【００３７】
外部に連通する冷却用溝部５ａを有する熱遮断壁５により、口金３内部を三つの空間に区画することにより、ロングステム側の最冷点温度が約３℃低下する。
【００３８】
また、熱遮断壁５の冷却用溝部５ａに照明器具の器具側のヒートシンクを装着すれば、ロングステム側の最冷点温度がさらに約３℃低下する。
【００３９】
実施の形態２．
図４は実施の形態２を示す図で、口金を口金ピン側から見た図で、一部を断面で示す。図に示すように、口金３は、口金ピン４のショートステム側に、冷却用溝部５ａを有する熱遮断壁５を設け、口金３内部を、ショートステム部、その他の二つの空間に区画されている。その他の構成は実施の形態１と同様であり、説明は省略する。
【００４０】
上記のように構成しても、実施の形態１とほぼ同様に、ショートステム側の熱がロングステム側の最冷点に伝達しにくいという効果を奏する。
【００４１】
実施の形態３．
図５は実施の形態３を示す図で、口金を口金ピン側から見た図で、一部を断面で示す。円形蛍光ランプの平面図である。図に示すように、口金３は、口金ピン４のロングステム側に熱遮断壁５を設け、口金３内部を、ショートステム部、その他の二つの空間に区画されている。その他の構成は実施の形態１と同様であり、説明は省略する。
【００４２】
上記のように構成しても、実施の形態１とほぼ同様に、ショートステム側の熱がロングステム側の最冷点に伝達しにくいという効果を奏する。
【００４３】
実施の形態４．
図６は実施の形態４を示す図で、口金を口金ピン側から見た図で、一部を断面で示す。図に示すように、口金ピン４をショートステム側に移動して、口金ピン４とロングステム側との間に冷却用溝部５ａを有する熱遮断壁５を設ける。このようにすれば、ロングステム部の空間の周方向の長さを長くできるので、ロングステム側の真空引き用のチップ管を熱遮断壁５近傍まで延ばしてロングチップ管９とする。
【００４４】
熱遮断壁５により、ショートステム側の熱がロングステム側に伝達しにくく、しかもロングチップ管９が冷却用溝部５ａを有する熱遮断壁５の近傍に位置するため、その先端が冷却され、ロングチップ管９の先端が最冷点になり、かつチップ管を長くしない場合に対して最冷点の温度が低下する。
【００４５】
上記の説明では、口金ピン４をショートステム側に移動するものを示したが、口金ピン４が中央に位置するもので、ロングステム側のチップ管を熱遮断壁５の近傍に位置するようにしてもよい。そのような構成でも、ロングチップ管９の先端に最冷点を形成し、かつその温度を下げることができる。
【００４６】
上記の構成において、熱遮断壁５の冷却用溝部５ａに器具側のヒートシンクを装着することにより、さらにロングチップ管９の先端の最冷点の温度を低下することができる。
【００４７】
実施の形態５．
図７は実施の形態５を示す図で、口金を口金ピン側から見た図で、一部を断面で示す。図に示すように、熱遮断壁５とロングチップ管９の先端との間にシリコーンを設ける。これにより、ロングチップ管９の寸法誤差を吸収すると共に、ロングチップ管９と熱遮断壁５の接触面積を大きくすることができ、さらにロングチップ管９の先端の最冷点の温度を低下することができる。
【００４８】
実施の形態６．
図８は実施の形態６を示す図で、本発明の円形蛍光ランプを照明器具に適用した形態を示す。図において、照明器具１１は、例えば天井等に固定された器具本体１３と、器具本体１３にほぼ水平に支持された図１〜図７に示す円形蛍光ランプと、この円形蛍光ランプ１が覆われるように器具本体１３に取付けられたカバー１２とから構成されている。
【００４９】
上記のように構成された照明器具１１は、円形蛍光ランプ１が、熱遮断壁５による断熱効果、熱遮断壁５の冷却用溝部５ａ及びヒートシンクによる冷却効果、ロングチップ管９による最冷点の温度低下等により、発光効率が最大となる周囲温度が高温側に移動しているので、ほぼ密閉状態の照明器具１１でも、周囲温度の高温側における明るさ、発光効率を効果的に改善できる。
【００５０】
【発明の効果】
以上のように、この発明によれば、ロングステム側ガラスバルブ端部に形成される最冷点温度を効果的に低下させて、周囲温度の高温側における明るさ、発光効率を向上させた円形蛍光ランプ及び円形蛍光ランプ用口金及び円形蛍光ランプ及び照明器具を提供することができる。
【図面の簡単な説明】
【図１】実施の形態１を示す図で、円形蛍光ランプの平面図である。
【図２】実施の形態１を示す図で、口金を口金ピン側から見た一部を断面で示す図である。
【図３】実施の形態１を示す図で、ガラスバルブの端部の構成を示す図である。
【図４】実施の形態２を示す図で、口金を口金ピン側から見た一部を断面で示す図である。
【図５】実施の形態３を示す図で、口金を口金ピン側から見た一部を断面で示す図である。
【図６】実施の形態４を示す図で、口金を口金ピン側から見た一部を断面で示す図である。
【図７】実施の形態５を示す図で、口金を口金ピン側から見た一部を断面で示す図である。
【図８】実施の形態６を示す図で、本発明の円形蛍光ランプを照明器具に適用した形態を示す図である。
【符号の説明】
１  円形蛍光ランプ、２  ガラスバルブ、３  口金、４  口金ピン、５  熱遮断壁、５ａ  冷却用溝部、５ｂ  切り欠き部、６  リード線、７  ロングステム、８  ショートステム、９  ロングチップ管、１０  シリコーン、１１  照明器具、１２  カバー、１３  器具本体。
【図１】
2004207096.tif 000003
【図２】
2004207096.tif 000004
【図３】
2004207096.tif 000005
【図４】
2004207096.tif 000006
【図５】
2004207096.tif 000007
【図６】
2004207096.tif 000008
【図７】
2004207096.tif 000009
【図８】
2004207096.tif 000010